(57)【要約】【課題】複数の設備機器が散在する空間の様子を概略的に表現するとともに、当該設備機器の様子を簡便な操作に応じて概略的に表現する管理画面を提供する機器管理装置を提供する。【解決手段】親コントローラ３０が提供する管理画面は、上位空間内に散在する複数の室内ユニット１０ａ，１０ｂ，・・・を管理する画面である。管理画面上には、上位空間に対応するオブジェクトＯ１，Ｏ２および上位空間を構成する複数の下位空間にそれぞれ対応する複数のオブジェクトＯ２，Ｏ３がツリー構造Ｔとなるように表示される。マウスポインタＰがいずれかのオブジェクトＯ１〜Ｏ３上に保持されると、当該オブジェクトＯ１〜Ｏ３に対応する空間内の室内ユニット１０ａ，１０ｂ，・・・に関連する機器情報が管理画面上に表示される。【選択図】図１２
2010255954.tif 000002
【特許請求の範囲】
【請求項１】
複数の下位空間からなる上位空間内に散在する複数の設備機器（１０ａ，１０ｂ，・・・）を管理する管理画面を提供する機器管理装置（３０）であって、
前記管理画面上に、前記上位空間に対応するオブジェクト（Ｏ１，Ｏ２）および前記下位空間に対応するオブジェクト（Ｏ２，Ｏ３）をツリー構造（Ｔ）となるように表示する第１表示制御部（３２ｄ）と、
前記管理画面上の操作対象を示すポインタ（Ｐ）の表示を制御するポインタ管理部（３２ｇ）と、
を備え、
前記第１表示制御部は、前記ポインタが前記オブジェクト（Ｏ１〜Ｏ３）上に保持されると、当該オブジェクトに対応する前記上位空間又は前記下位空間内の前記設備機器に関連する機器情報を前記管理画面上に表示する、
機器管理装置（３０）。
【請求項２】
前記第１表示制御部（３２ｄ）は、前記機器情報を、前記ポインタ（Ｐ）の近傍、又は所定の位置に表示する、
請求項１に記載の機器管理装置（３０）。
【請求項３】
前記管理画面上に、前記ツリー構造（Ｔ）とともに、前記ツリー構造上で選択されている前記オブジェクト（Ｏ１〜Ｏ３）に対応する前記上位空間又は前記下位空間の模式図を表示する第２表示制御部（３２ｅ）、
をさらに備える、
請求項１又は２に記載の機器管理装置（３０）。
【請求項４】
前記上位空間の前記模式図は、前記上位空間の見取図上に前記下位空間に対応するオブジェクト（Ｏ４，Ｏ５）を配置したものである、
請求項３に記載の機器管理装置（３０）。
【請求項５】
前記第２表示制御部（３２ｅ）は、前記ポインタ（Ｐ）が前記上位空間の見取図上の前記オブジェクト（Ｏ４，Ｏ５）上に保持されると、当該オブジェクトに対応する前記下位空間内の前記設備機器（１０ａ，１０ｂ，・・・）に関連する機器情報を前記管理画面上に表示する、
請求項４に記載の機器管理装置（３０）。
【請求項６】
前記下位空間の前記模式図は、当該下位空間の見取図上に当該下位空間内の前記設備機器（１０ａ，１０ｂ，・・・）に対応するオブジェクト（Ｏ６）を配置したものである、
請求項３から５のいずれかに記載の機器管理装置（３０）。
【請求項７】
前記機器情報は、所定の時間表示され、自動的に消える、
請求項１から６のいずれかに記載の機器管理装置（３０）。
【請求項８】
前記第１表示制御部（３２ｄ）は、前記ポインタ（Ｐ）が前記ツリー構造（Ｔ）に含まれる前記オブジェクト（Ｏ１〜Ｏ３）上に保持されると、当該オブジェクトに対応する前記上位空間又は前記下位空間内の複数の前記設備機器（１０ａ，１０ｂ，・・・）に関連する情報をまとめたものを前記機器情報として前記管理画面上に表示する、
請求項１から７のいずれかに記載の機器管理装置（３０）。
【請求項９】
前記機器情報は、前記設備機器（１０ａ，１０ｂ，・・・）の異常に関する情報を含む、
請求項１から８のいずれかに記載の機器管理装置（３０）。
【請求項１０】
前記機器情報は、空調ユニットである前記設備機器（１０ａ，１０ｂ，・・・）の運転台数、設定温度、吸い込み温度、およびエネルギー消費量の少なくとも１つに関する情報を含む、
請求項１から９のいずれかに記載の機器管理装置（３０）。
【発明の詳細な説明】
【技術分野】
【０００１】
本発明は、複数の設備機器を管理する管理画面を提供する機器管理装置に関する。
【背景技術】
【０００２】
従来より、１の施設内の複数の設備機器（空調設備の複数の室内ユニット等）が１の管理画面を介して集中的に管理されることがある（特許文献１の特開２００５−３０８２７８号公報）。かかる施設としては、一般家庭から、オフィスビル、さらには複数の建物群からなる大学、病院等、大小様々な規模の施設がある。
【発明の概要】
【発明が解決しようとする課題】
【０００３】
しかしながら、施設の規模が大きくなり、管理対象となる設備機器の数が増してくると、１の管理画面で管理し得る管理内容は限られてくることになる。従って、例えば、ある設備機器に異常等が発生していたとしても、管理画面を操作している管理者には、その情報が迅速かつ正確に伝わらないといった問題も発生し得る。かかる問題を回避するためには、管理画面が適切に設計されている必要がある。
【０００４】
そこで、出願人は、仮想的に管理対象となる施設を複数の空間に階層的に分割し、当該複数の空間にそれぞれ対応するオブジェクト群をツリー構造となるように配置した管理画面を提供する機器管理装置を発明し、平成２０年５月２９日に出願した（特願２００８−１４１５０９）。かかる発明によれば、管理画面を見る管理者は、管理対象となる施設の様子を概略的に把握することができるようになり、その結果、当該施設内の設備機器の管理についても容易に行うことができるようになっている。
【０００５】
しかしながら、さらには、施設の様子を概略的に把握するだけでなく、当該施設内の複数の設備機器の様子についても簡便な操作によって概略的に把握したいという管理者の要望がある。
【０００６】
本発明の課題は、複数の設備機器が散在する空間の様子を概略的に表現するとともに、当該設備機器の様子を簡便な操作に応じて概略的に表現する管理画面を提供する機器管理装置を提供することにある。
【課題を解決するための手段】
【０００７】
第１発明に係る機器管理装置は、第１表示制御部と、ポインタ管理部とを備え、管理画面を提供する。管理画面は、複数の下位空間からなる上位空間内に散在する複数の設備機器を管理する画面である。第１表示制御部は、管理画面上に、上位空間に対応するオブジェクトおよび下位空間に対応するオブジェクトをツリー構造となるように表示する。ポインタ管理部は、管理画面上の操作対象を示すポインタの表示を制御する。第１表示制御部は、ポインタがオブジェクト上に保持されると、当該オブジェクトに対応する上位空間又は下位空間内の設備機器に関連する機器情報を管理画面上に表示する。なお、ツリー構造は、現実の物理的な空間構造を反映するものであってもよいし、論理的な空間構造を反映するものであってもよい。
【０００８】
ここでは、複数の設備機器の設置される空間（上位空間）が、当該空間およびその複数のサブ空間（下位空間）にそれぞれ対応するオブジェクトを要素とするツリー構造として表現される。そして、ツリー構造に含まれるオブジェクト上にポインタを保持するという操作が加えられると、当該オブジェクトに対応する空間内の設備機器に関連する機器情報が管理画面上に表示される。従って、管理者は、複数の設備機器が散在する空間の様子を概略的に把握するとともに、当該設備機器の様子を簡便な操作で概略的に把握することができる。
【０００９】
なお、「オブジェクト上にポインタを保持する」操作には、オブジェクト上にポインタを位置合わせすることの他、オブジェクト上にポインタを所定の時間位置合わせしたままの状態にすることも含まれるものとする。また、機器管理装置による管理画面の提供の態様としては、当該機器管理装置の表示部上に表示される場合の他、当該機器管理装置に接続される他の装置の表示部上に表示される場合が含まれる。
【００１０】
第２発明に係る機器管理装置は、第１発明に係る機器管理装置であって、第１表示制御部は、機器情報を、ポインタの近傍、又は所定の位置に表示する。
【００１１】
ここでは、ポインタがオブジェクト上に保持されると、当該オブジェクトに対応する空間内の設備機器に関連する機器情報がポインタの近傍又は所定の位置に表示される。従って、管理者は、機器情報の表示される位置を容易に把握することができる。
【００１２】
第３発明に係る機器管理装置は、第１発明又は第２発明に係る機器管理装置であって、第２表示制御部をさらに備える。第２表示制御部は、管理画面上に、ツリー構造とともに、ツリー構造上で選択されているオブジェクトに対応する上位空間又は下位空間の模式図を表示する。
【００１３】
ここでは、ツリー構造とともに、ツリー構造上で選択中の空間（上位空間又は下位空間）の模式図が表示される。従って、管理者は、ツリー構造を介して所望の空間を容易に選択するとともに、模式図を介して選択中の空間の様子を直感的に理解することができる。
【００１４】
第４発明に係る機器管理装置は、第３発明に係る機器管理装置であって、上位空間の模式図は、上位空間の見取図上に下位空間に対応するオブジェクトを配置したものである。
【００１５】
ここでは、ツリー構造とともに、ツリー構造上で選択中の空間（上位空間）の見取図が表示され、当該見取図上には、当該空間よりも下位の空間（下位空間）に対応するオブジェクトが配置される。従って、管理者は、ツリー構造を介して所望の空間を容易に選択するとともに、模式図を介して選択中の空間の構造を直感的に理解することができる。
【００１６】
第５発明に係る機器管理装置は、第４発明に係る機器管理装置であって、第２表示制御部は、ポインタが上位空間の見取図上のオブジェクト上に保持されると、当該オブジェクトに対応する下位空間内の設備機器に関連する機器情報を管理画面上に表示する。
【００１７】
ここでは、空間の模式図に含まれるオブジェクト上にポインタを保持するという操作が加えられると、当該オブジェクトに対応する空間内の設備機器に関連する機器情報が管理画面上に表示される。従って、管理者は、複数の設備機器の様子を簡便な操作で概略的により的確に把握することができる。
【００１８】
第６発明に係る機器管理装置は、第３発明から第５発明のいずれかに係る機器管理装置であって、下位空間の模式図は、当該下位空間の見取図上に当該下位空間内の設備機器に対応するオブジェクトを配置したものである。
【００１９】
ここでは、ツリー構造とともに、ツリー構造上で選択中の空間（下位空間）の見取図が表示され、当該見取図上には、当該空間内の設備機器に対応するオブジェクトが配置される。従って、管理者は、ツリー構造を介して所望の空間を容易に選択するとともに、模式図を介して選択中の空間内の設備機器の様子を直感的に理解することができる。
【００２０】
第７発明に係る機器管理装置は、第１発明から第６発明のいずれかに係る機器管理装置であって、機器情報は、所定の時間表示され、自動的に消える。
【００２１】
ここでは、オブジェクト上にポインタを保持するという操作が加えられると、機器情報が一時的に表示される。従って、当該操作の結果表示される機器情報により、その他の情報が視認しにくくなるという状況が回避される。
【００２２】
第８発明に係る機器管理装置は、第１発明から第７発明のいずれかに係る機器管理装置であって、第１表示制御部は、ポインタがツリー構造に含まれるオブジェクト上に保持されると、当該オブジェクトに対応する上位空間又は下位空間内の複数の設備機器に関連する情報をまとめたものを機器情報として管理画面上に表示する。
【００２３】
ここでは、オブジェクト上にポインタを保持するという操作の結果表示される機器情報は、当該オブジェクトに対応する空間内の複数の設備機器に関連する情報をまとめた情報である。従って、管理者は、所望の空間内に複数の設備機器が存在する場合であっても、当該設備機器群に関する機器情報を概略的に把握することができる。
【００２４】
第９発明に係る機器管理装置は、第１発明から第８発明のいずれかに係る機器管理装置であって、機器情報は、設備機器の異常に関する情報を含む。
【００２５】
ここでは、管理者は、複数の設備機器が散在する空間の様子を概略的に把握するとともに、当該設備機器の異常を簡便な操作で概略的に把握することができる。
【００２６】
第１０発明に係る機器管理装置は、第１発明から第９発明のいずれかに係る機器管理装置であって、機器情報は、空調ユニットである設備機器の運転台数、設定温度、吸い込み温度、およびエネルギー消費量の少なくとも１つに関する情報を含む。
【００２７】
ここでは、管理者は、複数の空調ユニットが散在する空間の様子を概略的に把握するとともに、当該空調ユニットの運転台数、設定温度、吸い込み温度、およびエネルギー消費量の少なくとも１つを簡便な操作で概略的に把握することができる。
【発明の効果】
【００２８】
本発明に係る機器管理装置では、複数の設備機器の設置される空間（上位空間）が、当該空間およびその複数のサブ空間（下位空間）にそれぞれ対応するオブジェクトを要素とするツリー構造として表現される。そして、ツリー構造に含まれるオブジェクト上にポインタを保持するという操作が加えられると、当該オブジェクトに対応する空間内の設備機器に関連する機器情報が管理画面上に表示される。従って、管理者は、複数の設備機器が散在する空間の様子を概略的に把握するとともに、当該設備機器の様子を簡便な操作で概略的に把握することができる。
【図面の簡単な説明】
【００２９】
【図１】本発明の一実施形態に係る親コントローラを含む群管理システムの構成を示す図。
【図２】室内ユニットの構成を示す図。
【図３】子コントローラの構成を示す図。
【図４】親コントローラの構成を示す図。
【図５】見取図データベースのデータ構造を示す図。
【図６】基本情報データベースのデータ構造を示す図。
【図７】運転情報データベースのデータ構造を示す図。
【図８】異常履歴データベースのデータ構造を示す図。
【図９】施設全体に対応するオブジェクトが選択されている状態の管理画面を示す図。
【図１０】ある建物に対応するオブジェクトが選択されている状態の管理画面を示す図。
【図１１】ある単位空間に対応するオブジェクトが選択されている状態の管理画面を示す図。
【図１２】機器情報がポップアップ表示されている状態の管理画面を示す図。
【図１３】変形例（１）に係る管理画面を示す図。
【発明を実施するための形態】
【００３０】
以下、図面を参照して、本発明の実施形態に係る親コントローラ３０（機器管理装置）を含む群管理システム１００について説明する。
【００３１】
＜群管理システム＞
（１）全体構成
図１に示す群管理システム１００は、施設１内に設置されている空調設備１０（設備機器）を管理するためのシステムである。施設１は、その広大な敷地内に複数の建物１ａ，１ｂ，・・・を有する大学である。建物１ａ，１ｂ，・・・内には、それぞれ空調設備１０に含まれる室内ユニット１０ａ，１０ｂ，・・・が複数台ずつ設置されている。同じ建物１ａ，１ｂ，・・・内の複数台の室内ユニット１０ａ，１０ｂ，・・・は、それぞれ群管理システム１００による管理上仮想的にまとめられ、室内ユニット群１５ａ，１５ｂ，・・・を構成している。
【００３２】
群管理システム１００は、複数の室内ユニット群１５ａ，１５ｂ，・・・をそれぞれ管理する複数の子コントローラ２０ａ，２０ｂ，・・・と、複数の子コントローラ２０ａ，２０ｂ，・・・を束ねる親コントローラ３０とを含む。子コントローラ２０ａ，２０ｂ，・・・は、それぞれ建物１ａ，１ｂ，・・・内の管理室に１台ずつ設置され、同じ建物１ａ，１ｂ，・・・内の複数台の室内ユニット１０ａ，１０ｂ，・・・に空調設備１０用の専用制御線５ｂを介して接続されている。親コントローラ３０は、建物１ａ内の管理室に子コントローラ２０ａとともに設置され、子コントローラ２０ａ，２０ｂ，・・・にローカルエリアネットワーク（以下、ＬＡＮ）５ａを介して接続されている。なお、ＬＡＮ５ａには、子コントローラ２０ａ，２０ｂ，・・・および親コントローラ３０の他、空調設備１０の管理とは直接的に関係しない、施設１内の利用者が通常業務のために使用するパーソナルコンピュータやプリンタ等のネットワーク機器（図示されない）も接続されている。
【００３３】
（２）室内ユニットの構成
以下、図２を参照しつつ、室内ユニット１０ａについて説明するが、その他の室内ユニット１０ｂ，・・・についても同様であるものとする。
【００３４】
各室内ユニット１０ａは、制御部１２を有している。同じ冷媒回路に属する室内ユニット１０ａの制御部１２どうしは、空調設備１０用の専用制御線５ｂを介して互いに接続されている。また、各制御部１２は、空調設備１０用の専用制御線５ｂを介して同じ冷媒回路に属する室外ユニット（図示されない）および子コントローラ２０ａにも接続されている。
【００３５】
各制御部１２は、リモコン１４、子コントローラ２０ａ又は親コントローラ３０を介して入力された利用者からの運転指令（例えば、室内ユニット１０ａの起動又は停止を命じたり、室内ユニット１０ａの設定温度の変更を命じたり、室内ユニット１０ａの運転モードの変更を命じたりするもの）に従って、同じ冷媒回路に属する室外ユニットの制御部（図示されない）と協調しつつ、冷媒回路に含まれる各種部品の動作を制御し、室内を冷房又は暖房する。具体的には、圧縮機の周波数、ファンの回転数および各種弁の開度の調整等を行う。なお、リモコン１４は、主として一般の利用者から室内ユニット１０ａに対する運転指令を受け付けるためものであり、室内ユニット１０ａの制御部１２に１対１、あるいは、１対多で、他のコントローラ２０ａ，３０等を介することなく直接的に接続されている。
【００３６】
各制御部１２には、温度センサ１２ａ、湿度センサ１２ｂおよびＣＯ2濃度センサ１２ｃが１対１で接続されている。温度センサ１２ａ、湿度センサ１２ｂおよびＣＯ2濃度センサ１２ｃは、室内ユニット１０ａの空気の吸い込み口付近に取り付けられており、それぞれ室内ユニット１０ａの周辺の温度、湿度およびＣＯ2濃度を検出する。
【００３７】
また、各制御部１２は、室内ユニット１０ａの運転状態に関する情報（室内ユニット１０ａの周辺の温度、湿度およびＣＯ2濃度、起動／停止等の起動状態、設定温度、ならびに、冷房／暖房／送風等の運転モードを示す情報を含む。以下、運転情報という。）を子コントローラ２０ａからの命令に応じて子コントローラ２０ａに送信する。
【００３８】
（３）子コントローラの構成
以下、図３を参照しつつ、子コントローラ２０ａについて説明するが、その他の子コントローラ２０ｂ，・・・についても同様であるものとする。
【００３９】
子コントローラ２０ａは、建物１ａ内の管理室に設置され、当該管理室に所属する管理者によって操作される。子コントローラ２０ａは、主としてＬＡＮ側通信部２１ａ、空調側通信部２１ｂ、制御部２２、表示部２３、入力部２４および記憶部２５から構成され、室内ユニット群１５ａに含まれる室内ユニット１０ａを監視および制御する。
【００４０】
ＬＡＮ側通信部２１ａは、子コントローラ２０ａをＬＡＮ５ａに接続するネットワークインターフェースであり、親コントローラ３０との間で各種信号の授受を行う。空調側通信部２１ｂは、子コントローラ２０ａを専用制御線５ｂに接続するネットワークインターフェースであり、室内ユニット１０ａとの間で各種信号の授受を行う。
【００４１】
制御部２２は、主としてＣＰＵ、ＲＯＭおよびＲＡＭから構成されており、記憶部２５に記憶されているプログラムを読み出して実行する。例えば、制御部２２は、所定の時間間隔で（本実施形態では、１分毎に）、室内ユニット群１５ａに含まれる各室内ユニット１０ａの運転情報を当該室内ユニット１０ａの制御部１２から取得し、親コントローラ３０に送信する。さらに、制御部２２は、所定の時間間隔で（本実施形態では、１分毎に）、室内ユニット１０ａの運転情報だけでなく、室外ユニットの運転状態に関する情報（圧縮機の周波数、ならびに、冷媒の温度および圧力を示す情報を含む。以下、運転情報という。）も取得する。
【００４２】
また、制御部２２は、所定の時間間隔で（本実施形態では、１分毎に）、記憶部２５内の所定の時間分の室内ユニット１０ａおよび室外ユニットの運転情報に基づき、室内ユニット１０ａおよび室外ユニットにおける異常の有無を判断する。異常と判断される場合には、その旨を直ちに表示部２３に表示させるとともに、親コントローラ３０に伝える。
【００４３】
また、制御部２２は、ＬＡＮ側通信部２１ａを介して親コントローラ３０から室内ユニット１０ａに対する運転指令を受信すると、空調側通信部２１ｂを介して当該運転指令を当該室内ユニット１０ａに送信する。
【００４４】
表示部２３は、主としてディスプレイから構成されており、入力部２４は、主として当該ディスプレイを覆うタッチパネルおよび操作ボタンから構成されている。
【００４５】
記憶部２５には、運転情報記憶領域が確保されている。当該運転情報記憶領域には、制御部２２の取得する室内ユニット１０ａおよび室外ユニットの運転情報が所定の時間分蓄積される。
【００４６】
（４）親コントローラ３０の構成
親コントローラ３０は、通常のパーソナルコンピュータであり、図４に示すように、主として通信部３１、制御部３２、表示部３３、入力部３４および記憶部３５から構成されている。親コントローラ３０は、施設１内の空調設備１０全体を管理する管理室（建物１ａ内に存在）に設置され、当該管理室に所属する統括管理者によって操作される。
【００４７】
通信部３１は、親コントローラ３０をＬＡＮ５ａに接続するネットワークインターフェースであり、子コントローラ２０ａ，２０ｂ，・・・との間で各種信号の授受を行う。
【００４８】
制御部３２は、主としてＣＰＵ、ＲＯＭおよびＲＡＭから構成されており、記憶部３５に記憶されているプログラムを読み出して実行することにより、監視部３２ａ、運転制御部３２ｂ、条件判定部３２ｃ、第１表示制御部３２ｄ、第２表示制御部３２ｅ、第３表示制御部３２ｆ、およびポインタ管理部３２ｇとして動作する。
【００４９】
監視部３２ａは、子コントローラ２０ａ，２０ｂ，・・・を介してそれぞれ室内ユニット１０ａ，１０ｂ，・・・の運転情報を収集する。運転制御部３２ｂは、子コントローラ２０ａ，２０ｂ，・・・を介してそれぞれ室内ユニット１０ａ，１０ｂ，・・・の制御部１２に運転指令を送信することにより、室内ユニット１０ａ，１０ｂ，・・・の運転を制御する。また、運転制御部３２ｂは、入力部３４を介しての室内ユニット１０ａ，１０ｂ，・・・の運転スケジュールの登録を受け付けており、運転スケジュールに沿って適当なタイミングで適当な運転指令を適当な室内ユニット１０ａ，１０ｂ，・・・に送信する。条件判定部３２ｃは、記憶部３５内の検索条件Ｃ１，Ｃ２，・・・（後述する）に合致する室内ユニット１０ａ，１０ｂ，・・・を検索する。第１表示制御部３２ｄ、第２表示制御部３２ｅおよび第３表示制御部３２ｆは、条件判定部３２ｃと協調しつつ、表示部３３上に表示される室内ユニット１０ａ，１０ｂ，・・・の管理画面を作成する。ポインタ管理部３２ｇは、入力部３４に対する利用者の操作を把握し、これに従って表示部３３上にポインタを表示する。各部３２ａ〜３２ｇの動作の詳細については、後述する。
【００５０】
表示部３３は、主としてディスプレイから構成されている。
【００５１】
入力部３４は、主としてマウス３４ａおよびキーボード３４ｂから構成されている。
【００５２】
記憶部３５は、主としてハードディスクから構成されており、施設１全体および施設１を構成する各空間の見取図が格納される見取図データベース３５ａと、室内ユニット１０ａ，１０ｂ，・・・の基本情報が格納される基本情報データベース３５ｂと、室内ユニット１０ａ，１０ｂ，・・・の運転情報が蓄積される運転情報データベース３５ｃと、室内ユニット１０ａ，１０ｂ，・・・および室外ユニットにおける異常に関する情報（以下、異常情報）が格納される異常履歴データベース３５ｄとを有している。その他、入力部３４を介して入力された室内ユニット１０ａ，１０ｂ，・・・の運転スケジュールに関する情報も、記憶部３５内に記憶される。
【００５３】
ａ）見取図データベース
図５に示すように、見取図データベース３５ａは、階層構造を有するデータベースである。より具体的には、見取図データベース３５ａ内には、施設１全体の概略平面図、施設１を構成する建物１ａ，１ｂ，・・・の概略側面図および建物１ａ，１ｂ，・・・を構成する単位空間の概略平面図が、施設１の現実の物理的な空間構造に対応するように階層的に格納されている。すなわち、見取図データベース３５ａの階層構造上、最上位には施設１全体の概略平面図が位置付けられ、その１つ下位には建物１ａ，１ｂ，・・・の概略側面図が位置付けられ、その１つ下位つまり最下位には単位空間の概略平面図が位置付けられている。
【００５４】
単位空間の概略平面図は、壁、柱、ドア、階段等が図示された画像データである。単位空間の概略平面図を構成する各点には、２次元座標が割り当てられている。
【００５５】
見取図データベース３５ａ内の各見取図には、当該見取図がどの空間に対応するのかを示すインデックス情報が付加されている。当該インデックス情報を集合させると、施設１の現実の空間構造を示す情報になる。
【００５６】
ｂ）基本情報データベース
図６に示すように、基本情報データベース３５ｂは、「機器ＩＤ」「建物」「単位空間」「座標」「導入日」「定格電力」および「常時運転」フィールドを有する表形式のデータベースである。
【００５７】
基本情報データベース３５ｂ内のレコードは、空調設備１０に含まれる室内ユニット１０ａ，１０ｂ，・・・に１対１で対応しており、１のレコードは、１の室内ユニット１０ａ，１０ｂ，・・・の位置情報その他の属性情報を含む基本情報を記録するものである。室内ユニット１０ａ，１０ｂ，・・・の位置は、「建物」「単位空間」および「座標」フィールドの値の組み合わせにより特定される。
【００５８】
「機器ＩＤ」フィールドには、室内ユニット１０ａ，１０ｂ，・・・の機器ＩＤが格納される。「建物」フィールドには、当該室内ユニット１０ａ，１０ｂ，・・・が設置されている建物１ａ，１ｂ，・・・の名称が格納され、「単位空間」フィールドには、当該室内ユニット１０ａ，１０ｂ，・・・が設置されている単位空間の名称が格納され、「座標」フィールドには、当該室内ユニット１０ａ，１０ｂ，・・・の設置場所を示す、当該単位空間の概略平面図に割り当てられている２次元座標を基準とする座標情報が格納される。
【００５９】
「導入日」フィールドには、当該室内ユニット１０ａ，１０ｂ，・・・が施設１内に導入された日が格納され、「定格電力」フィールドには、当該室内ユニット１０ａ，１０ｂ，・・・の定格電力が格納され、「常時運転」フィールドには、コンピュータサーバルームに配置されている等の理由で、当該室内ユニット１０ａ，１０ｂ，・・・が常時運転すべきものである場合には値「１」が格納され、それ以外の場合には値「０」が格納される。
【００６０】
ｃ）運転情報データベース
図７に示すように、運転情報データベース３５ｃは、「機器ＩＤ」「時刻」「室内温度」「湿度」「ＣＯ2濃度」「起動状態」「設定温度」および「運転モード」フィールドを有する表形式のデータベースである。
【００６１】
運転情報データベース３５ｃ内の各レコードは、ある時刻におけるある室内ユニット１０ａ，１０ｂ，・・・の運転情報を記録するものである。
【００６２】
運転情報データベース３５ｃは、所定の時間間隔で（本実施形態では、１分ごとに）、監視部３２ａによって更新される。すなわち、監視部３２ａは、所定の時間間隔で（本実施形態では、１分ごとに）、子コントローラ２０ａ，２０ｂ，・・・を介してそれぞれ室内ユニット１０ａ，１０ｂ，・・・の運転情報を受信する。そして、監視部３２ａは、当該運転情報を運転情報データベース３５ｃのデータ構造に合わせて整形し、新たなレコードとして運転情報データベース３５ｃに格納する。なお、新たなレコードの「時刻」フィールドには、その元となる運転情報の受信時刻が格納される。
【００６３】
ｄ）異常履歴データベース
図８に示すように、異常履歴データベース３５ｄは、「機器ＩＤ」「発生日時」「種別」および「処置済み」フィールドを有する表形式のデータベースである。
【００６４】
監視部３２ａは、子コントローラ２０ａ，２０ｂ，・・・から室内ユニット１０ａ，１０ｂ，・・・又は室外ユニットにおける異常の通知を受け取ると、異常履歴データベース３５ｄ内に当該異常に対応するレコードを新規作成する。
【００６５】
「機器ＩＤ」フィールドには、当該異常の発生した室内ユニット１０ａ，１０ｂ，・・・又は室外ユニットの機器ＩＤが格納され、「発生日時」フィールドには、当該異常の発生日時が格納され、「種別」フィールドには、当該異常の種別が格納される。「処置済み」フィールドには、当該異常に対する処置が終了したことを示す情報が入力されると、値「処置済み」が格納されるが、当該入力がされる前は値「未処置」が格納されている。
【００６６】
（５）管理画面
図９〜図１１に示す管理画面は、統括管理者による室内ユニット１０ａ，１０ｂ，・・・の管理に供する画面であり、親コントローラ３０の第１表示制御部３２ｄ、第２表示制御部３２ｅおよび第３表示制御部３２ｆにより作成され、親コントローラ３０の表示部３３上に表示される。
【００６７】
管理画面は、主として３つの領域Ａ１〜Ａ３に分割されている。左側の領域Ａ１には、ツリー構造Ｔが表示され、中央に大きく広がる領域Ａ２には、施設１全体又は施設１を構成する空間の模式図が表示され、右側の領域Ａ３には、各種操作ボタンＢ１〜Ｂ６が表示される。左側の領域Ａ１は、第１表示制御部３２ｄにより表示制御され、中央の領域Ａ２は、第２表示制御部３２ｅにより表示制御され、右側の領域Ａ３は、第３表示制御部３２ｆにより表示制御される。
【００６８】
ａ）ツリー構造
図９〜図１１に示すように、左側の領域Ａ１内のツリー構造Ｔは、左右に並ぶ正方形のアイコンと文字とからなる複数のオブジェクトＯ１〜Ｏ３をツリー状に配列したものである。より具体的には、ツリー構造Ｔは、施設１全体に対応するオブジェクトＯ１をルートオブジェクトとし、オブジェクトＯ１から建物１ａ，１ｂ，・・・に対応するオブジェクトＯ２が分岐し、さらに各オブジェクトＯ２から単位空間に対応するオブジェクトＯ３が分岐した態様となっている。なお、オブジェクトＯ２は、建物１ａ，１ｂ，・・・に１対１で対応し、各オブジェクトＯ２から分岐するオブジェクトＯ３は、当該オブジェクトＯ２に対応する建物１ａ，１ｂ，・・・内の単位空間に１対１で対応する。第１表示制御部３２ｄは、見取図データベース３５ａを参照し、そのデータ構造のとおりにオブジェクトＯ１〜Ｏ３を配列することにより、ツリー構造Ｔを形成する。
【００６９】
各オブジェクトＯ１〜Ｏ３に含まれる文字は、見取図データベース３５ａ内のインデックス情報に基づいて決定される。すなわち、施設１全体に対応するオブジェクトＯ１に含まれる文字は、施設１全体の見取図に付加されているインデックス情報に基づいて「施設１」に決定され、建物１ａに対応するオブジェクトＯ２に含まれる文字は、建物１ａの見取図に付加されているインデックス情報に基づいて「建物１ａ」に決定され、建物１ａ内の４階北側を占める単位空間に対応するオブジェクＯ３に含まれる文字は、建物１ａ内の４階北側を占める単位空間の見取図に付加されているインデックス情報に基づいて「４階北側」に決定される。
【００７０】
各オブジェクトＯ１〜Ｏ３に含まれるアイコンは、当該オブジェクトＯ１〜Ｏ３に対応する空間（施設１全体、建物１ａ，１ｂ，・・・又は単位空間）内の室内ユニット１０ａ，１０ｂ，・・・の状態に応じて色が変わる。なお、各室内ユニット１０ａ，１０ｂ，・・・の状態は、条件判定部３２ｃにより判定される。第１表示制御部３２ｄは、当該判定の結果に応じて各アイコンに付すべき色を判断し、当該アイコンの色を変化させる。
【００７１】
より具体的には、条件判定部３２ｃは、所定の時間間隔で（本実施形態では、１分ごとに）、基本情報データベース３５ｂ、運転情報データベース３５ｃおよび異常履歴データベース３５ｄを参照し、各室内ユニット１０ａ，１０ｂ，・・・が記憶部３５内の検索条件Ｃ１，Ｃ２，・・・に合致するか否かを判断してゆく。一方、第１表示制御部３２ｄは、所定の時間間隔で（本実施形態では、１分ごとに）、各空間（施設１全体、建物１ａ，１ｂ，・・・又は単位空間）に対応するアイコンの色を決定してゆく。アイコンの色は、当該アイコンに対応する空間内の少なくとも１台の室内ユニット１０ａ，１０ｂ，・・・が検索条件Ｃ１を満たす場合には、第１色、検索条件Ｃ１を満たさないが検索条件Ｃ２を満たす場合には、第２色、というような方式で決定される。言い換えると、検索条件Ｃ１，Ｃ２，・・・には互いに異なる色が予め対応付けられており、アイコンに付される色は、合致する検索条件Ｃ１，Ｃ２，・・・に対応する色となるが、複数の検索条件Ｃ１，Ｃ２，・・・に合致する場合には、検索条件Ｃ１，Ｃ２，・・・の順で優先される。なお、いずれの検索条件Ｃ１，Ｃ２，・・・をも満たさない場合には、デフォルト色となる。
【００７２】
以上により、統括管理者は、ツリー構造Ｔのアイコンを見るだけで、当該アイコンに対応する空間内の室内ユニット１０ａ，１０ｂ，・・・に発生している異常等の事実（より正確には、当該アイコンに対応する空間内の室内ユニット１０ａ，１０ｂ，・・・の少なくとも１台が検索条件Ｃ１，Ｃ２，・・・に合致しているか否か）をすばやく察知することができる。なお、記憶部３５内の検索条件Ｃ１，Ｃ２，・・・の変更、追加および削除は、統括管理者が入力部２４を操作することにより、任意のタイミングで可能となっている。すなわち、統括管理者は、自身が監視したい事実がアイコンの色に反映されるよう、検索条件Ｃ１，Ｃ２，・・・を自由に設定することができる。
【００７３】
また、各検索条件Ｃ１，Ｃ２，・・・は、抽出条件と、省略可能な除外条件とを組み合わせたものである。検索条件Ｃ１，Ｃ２，・・・に合致するとは、当該検索条件Ｃ１，Ｃ２，・・・に含まれる除外条件に合致せず、かつ、抽出条件に合致することを言う。
【００７４】
検索条件Ｃ１は、除外条件が省略されており、異常が発生していることを抽出条件としている。従って、統括管理者は、アイコンの色から、室内ユニット１０ａ，１０ｂ，・・・における異常をチェックすることができる。なお、ある室内ユニット１０ａ，１０ｂ，・・・が検索条件Ｃ１に合致するか否かの判定は、条件判定部３２ｃにより、異常履歴データベース３５ｄを参照することにより行われる。
【００７５】
その他の検索条件Ｃ２，・・・としては、例えば、以下のようなものが設定されている。
【００７６】
第１の例としては、設定温度が２５℃より上であることを除外条件とし、室内温度が２５℃以下であり、かつ、運転中であることを抽出条件とするものが挙げられる。かかる場合、アイコンの色から、設定温度が２５℃以下と低めに設定されており、かつ、現実の室内温度が２５℃以下になっている冷やし過ぎの室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、運転情報データベース３５ｃの「機器ＩＤ」「時刻」「室内温度」「設定温度」および「起動状態」フィールドの値を参照することにより行われる。
【００７７】
また、第２の例としては、導入日が５年以内であることを除外条件とし、運転中であることを抽出条件とするものが挙げられる。かかる場合、アイコンの色から、５年より前に導入された古い室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、基本情報データベース３５ｂの「機器ＩＤ」および「導入日」フィールドの値、ならびに、運転情報データベース３５ｃの「機器ＩＤ」「時刻」および「起動状態」フィールドの値を参照することにより行われる。
【００７８】
また、第３の例としては、定格電力が所定値以下であることを除外条件とし、運転中であることを抽出条件とするものが挙げられる。かかる場合、アイコンの色から、消費電力の大きい室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、基本情報データベース３５ｂの「機器ＩＤ」および「定格電力」フィールドの値、ならびに、運転情報データベース３５ｃの「機器ＩＤ」「時刻」および「起動状態」フィールドの値を参照することにより行われる。
【００７９】
また、第４の例としては、常時運転用でないことを除外条件とし、停止中であることを抽出条件とするものが挙げられる。かかる場合、アイコンの色から、常時運転が要求される（例えば、コンピュータサーバルーム内の）室内ユニット１０ａ，１０ｂ，・・・が停止していないかをチェックすることができる。なお、ある室内ユニット１０ａ，１０ｂ，・・・が当該検索条件に合致するか否かの判定は、条件判定部３２ｃにより、基本情報データベース３５ｂの「機器ＩＤ」および「常時運転」フィールドの値、ならびに、運転情報データベース３５ｃの「機器ＩＤ」「時刻」および「起動状態」フィールドの値を参照することにより行われる。
【００８０】
また、第５の例としては、運転スケジュールが登録されていることを除外条件とし、運転中であることを抽出条件とするものが挙げられる。かかる場合、アイコンの色から、統括管理者の意に反して運転している室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、記憶部３５内の運転スケジュールに関する情報、ならびに、運転情報データベース３５ｃの「機器ＩＤ」「時刻」および「起動状態」フィールドの値を参照することにより行われる。
【００８１】
また、最下位以外の階層の各オブジェクトＯ１，Ｏ２の左側には、折り畳みボタンが設けられている。折り畳みボタンが「＋」の状態の場合には、その右側のオブジェクト（つまり、１つ下位のオブジェクト）が非表示状態にあることを意味し、折り畳みボタンが「−」の状態の場合には、その右側のオブジェクト（つまり、１つ下位のオブジェクト）が表示中であることを意味する。
【００８２】
ｂ）施設１全体および施設１を構成する各空間の模式図
図９〜図１１に示すように、中央の領域Ａ２には、統括管理者により入力部３４を介して現在選択されている空間（施設１全体、建物１ａ，１ｂ，・・・又は単位空間）の模式図が表示される。図９は、施設１全体が選択されている状態の画面例であり、図１０は、建物１ａが選択されている状態の画面例であり、図１１は、建物１ａ内の３階北側の単位空間が選択されている状態の画面例である。
【００８３】
ｂ−１）施設全体の模式図
図９に示すように、第２表示制御部３２ｅは、ツリー構造Ｔ上で施設１全体に対応するオブジェクトＯ１が選択されたことを検知すると、見取図データベース３５ａからオブジェクトＯ１に対応する空間の見取図、すなわち、施設１全体の概略平面図を抽出し、領域Ａ２内に表示させる。
【００８４】
施設１全体の概略平面図上の各建物１ａ，１ｂ，・・・に対応する部分は、オブジェクトＯ４化されており、当該建物１ａ，１ｂ，・・・内の室内ユニット１０ａ，１０ｂ，・・・の状態に合わせてその色が変わるようになっている。領域Ａ２内の建物１ａ，１ｂ，・・・に対応するオブジェクトＯ４には、ツリー構造Ｔ上の当該建物１ａ，１ｂ，・・・に対応するオブジェクトＯ２と同じ色が付されることになる。
【００８５】
ｂ−２）各建物の模式図
図１０に示すように、第２表示制御部３２ｅは、ツリー構造Ｔ上でいずれかの建物１ａ，１ｂ，・・・に対応するオブジェクトＯ２が選択されたことを検知すると、見取図データベース３５ａから当該オブジェクトＯ２に対応する空間の見取図、すなわち、当該建物１ａ，１ｂ，・・・の概略側面図を抽出し、領域Ａ２内に表示させる。なお、領域Ａ２内に施設１全体の模式図が表示されている時に、その図上に配置されているオブジェクトＯ４が選択された場合にも、領域Ａ２内に建物１ａ，１ｂ，・・・の概略側面図が表示されることになる。
【００８６】
建物１ａ，１ｂ，・・・の概略側面図上の各単位空間に対応する部分は、オブジェクトＯ５化されており、当該単位空間内の室内ユニット１０ａ，１０ｂ，・・・の状態に合わせてその色が変わるようになっている。領域Ａ２内の単位空間に対応するオブジェクトＯ５には、ツリー構造Ｔ上の当該単位空間に対応するオブジェクトＯ３と同じ色が付されることになる。
【００８７】
ｂ−３）各単位空間の模式図
図１１に示すように、第２表示制御部３２ｅは、ツリー構造Ｔ上でいずれかの単位空間に対応するオブジェクトＯ３が選択されたことを検知すると、見取図データベース３５ａから当該オブジェクトＯ３に対応する空間の見取図、すなわち、当該単位空間の概略平面図を抽出し、領域Ａ２内に表示させる。なお、領域Ａ２内に建物１ａ，１ｂ，・・・の模式図が表示されている時に、その図上に配置されているオブジェクトＯ５が選択された場合にも、領域Ａ２内に単位空間の概略平面図が表示されることになる。
【００８８】
さらに、第２表示制御部３２ｅは、領域Ａ２内に表示されている当該単位空間の概略平面図上に、当該単位空間内に設置されている室内ユニット１０ａ，１０ｂ，・・・に対応するオブジェクトＯ６を配置する。より具体的には、第２表示制御部３２ｅは、基本情報データベース３５ｂ内を検索して「建物」および「単位空間」フィールドに現在選択されている単位空間を特定する情報が格納されているレコードを抽出し、抽出した１又は複数のレコードの「座標」フィールドの値のとおりに１又は複数のオブジェクトＯ６を配置する。
【００８９】
各オブジェクトＯ６は、アイコンと文字とからなる。
【００９０】
各オブジェクトＯ６に含まれる文字は、基本情報データベース３５ｂ内の、当該オブジェクトＯ６に対応するレコードの「機器ＩＤ」フィールドの値となる。
【００９１】
また、各オブジェクトＯ６に含まれるアイコンは、当該オブジェクトＯ６に対応する室内ユニット１０ａ，１０ｂ，・・・の状態に合わせてその色が変わるようになっている。領域Ａ２内のアイコンの色の決定は、第１表示制御部３２ｄがツリー構造Ｔ上のアイコンに付する色を決定する場合と同様に行われる。
【００９２】
すなわち、第２表示制御部３２ｅは、条件判定部３２ｃによる判定の結果に応じて、所定の時間間隔で（本実施形態では、１分ごとに）、各オブジェクトＯ６に含まれるアイコンの色を決定してゆく。オブジェクトＯ６に含まれるアイコンの色は、当該アイコンに対応する室内ユニット１０ａ，１０ｂ，・・・が検索条件Ｃ１を満たす場合には、第１色、検索条件Ｃ１を満たさないが検索条件Ｃ２を満たす場合には、第２色、というような方式で決定され、いずれの検索条件Ｃ１，Ｃ２，・・・をも満たさない場合には、デフォルト色となる。
【００９３】
以上により、統括管理者は、領域Ａ２内のアイコンを見るだけで、当該アイコンに対応する室内ユニット１０ａ，１０ｂ，・・・に発生している異常等の事実（より正確には、当該アイコンに対応する室内ユニット１０ａ，１０ｂ，・・・が検索条件Ｃ１，Ｃ２，・・・に合致しているか否か）をすばやく察知することができる。
【００９４】
ｃ）操作ボタン
図９〜図１１に示すように、右側の領域Ａ３には、複数の操作ボタンＢ１〜Ｂ５が表示されている。操作ボタンＢ１〜Ｂ４は、領域Ａ２内に施設１全体又は建物１ａ，１ｂ，・・・の模式図が表示されている間は無効化されており、領域Ａ２内に単位空間の模式図が表示されている間は有効になっている。
【００９５】
領域Ａ２内に単位空間の模式図が表示されている間、統括管理者は、入力部３４を介して、当該模式図上のいずれかのオブジェクトＯ６を選択することができる。
【００９６】
そして、あるオブジェクトＯ６が選択されている状態で、統括管理者により「起動」ボタンＢ１が押されると、運転制御部３２ｂは、当該オブジェクトＯ６に対応する室内ユニット１０ａ，１０ｂ，・・・の制御部１２に、当該室内ユニット１０ａ，１０ｂ，・・・の属する子コントローラ２０ａ，２０ｂ，・・・を介して、起動を命じる運転指令を送信する。従って、統括管理者は、管理画面を介して、室内ユニット１０ａ，１０ｂ，・・・を容易に起動できるようになっている。
【００９７】
同様に、あるオブジェクトＯ６が選択されている状態で、統括管理者により「停止」ボタンＢ２が押されると、運転制御部３２ｂは、当該オブジェクトＯ６に対応する室内ユニット１０ａ，１０ｂ，・・・の制御部１２に、当該室内ユニット１０ａ，１０ｂ，・・・の属する子コントローラ２０ａ，２０ｂ，・・・を介して、停止を命じる運転指令を送信する。従って、統括管理者は、管理画面を介して、室内ユニット１０ａ，１０ｂ，・・・を容易に停止できるようになっている。
【００９８】
一方、あるオブジェクトＯ６が選択されている状態で、統括管理者により「設定」ボタンＢ３が押されると、表示部３３上に、当該オブジェクトＯ６に対応する室内ユニット１０ａ，１０ｂ，・・・の運転パラメータ（設定温度、運転モード等）の変更を受け付ける設定変更ウィンドウが表示される。設定変更ウィンドウ上で運転パラメータが変更されると、運転制御部３２ｂは、当該室内ユニット１０ａ，１０ｂ，・・・の制御部１２に、当該室内ユニット１０ａ，１０ｂ，・・・の属する子コントローラ２０ａ，２０ｂ，・・・を介して、運転パラメータの変更を命じる運転指令を送信する。従って、統括管理者は、管理画面を介して、室内ユニット１０ａ，１０ｂ，・・・の運転パラメータを容易に変更できるようになっている。
【００９９】
一方、あるオブジェクトＯ６が選択されている状態で、統括管理者により「詳細情報」ボタンＢ４が押されると、表示部３３上に、当該オブジェクトＯ６に対応する室内ユニット１０ａ，１０ｂ，・・・の詳細情報を示す詳細情報ウィンドウが表示される。詳細情報ウィンドウには、当該室内ユニット１０ａ，１０ｂ，・・・に関する、基本情報データベース３５ｂに格納されている基本情報、運転情報データベース３５ｃに格納されている運転情報および異常履歴データベース３５ｄに格納されている異常情報等が表示される。また、オブジェクトO６が所定の方法（入力部３４のマウスをダブルクリックするなど）で選択された場合にも、上記詳細情報ウィンドウが表示されるようになっている。従って、統括管理者は、管理画面を介して、室内ユニット１０ａ，１０ｂ，・・・の詳細情報に容易にアクセスすることができるようになっている。
【０１００】
また、統括管理者により、入力部３４を介して「凡例」ボタンＢ５が押されると、表示部３３上に、各オブジェクトＯ１〜Ｏ６又はそれに含まれるアイコンに付される色の凡例を表示する凡例表示ウィンドウが開くようになっている。従って、統括管理者は、オブジェクトＯ１〜Ｏ６又はそれに含まれるアイコンの色の意味を容易に知ることができる。
【０１０１】
（６）機器情報のポップアップ表示機能
図１２に示すように、上記管理画面には、現在マウスポインタＰが位置合わせされているオブジェクトＯ１〜Ｏ５に対応する空間（施設１全体、建物１ａ，１ｂ，・・・又は単位空間）内の室内ユニット１０ａ，１０ｂ，・・・に関する各種情報（上記運転情報、基本情報および異常情報等を含む。以下、機器情報という。）をポップアップ表示する機能が実装されている。
【０１０２】
なお、一般に、ポップアップ表示とは、マウスポインタによる所定のオブジェクトのマウスオーバー時に、マウスポインタの近傍に当該オブジェクトに関する情報を自動的に（つまり、操作者の動作としては、マウスオーバーするだけで足り、クリックなどの他の操作を要することなく）表示することをいう。また、一度ポップアップ表示された情報は、マウスポインタが当該オブジェクトから離れた時に直ちに消える。さらに、マウスオーバーとは、マウスポインタが所定のオブジェクト上に位置合わせされることをいう。また、本実施形態において、管理画面上のオブジェクト（オブジェクトＯ１〜Ｏ６およびボタンＢ１〜Ｂ５を含む）の「選択」動作とは、マウスポインタＰを当該オブジェクトにマウスオーバーさせている状態で所定の操作（通常は、マウス３４ａの左クリック、キーボード３４ｂの所定のボタンの押下など）を加える動作をいう。管理画面上に表示されるマウスポインタＰの位置は、ポインタ管理部３２ｇによって管理される。言い換えると、ポインタ管理部３２ｇは、マウス３４ａに与えられた操作入力を検出し、当該操作入力に従って変化するマウスポインタＰの現在位置を常に把握しつつ、把握される現在位置にマウスポインタＰを表示させる役割を担っている。
【０１０３】
図１２に戻ると、施設１全体に対応するオブジェクトＯ１のマウスオーバー時には、マウスポインタＰの近傍に、施設１内の室内ユニット１０ａ，１０ｂ，・・・に関する機器情報がポップアップ表示される。ポップアップ表示される機器情報は、施設１内の全室内ユニット１０ａ，１０ｂ，・・・に関する、基本情報データベース３５ｂに格納されている基本情報、運転情報データベース３５ｃに格納されている運転情報および異常履歴データベース３５ｄに格納されている異常情報等を所定の方式でまとめた情報である。より具体的には、施設１内の室内ユニット１０ａ，１０ｂ，・・・の全台数分の運転中の台数、施設１内の全室内ユニット１０ａ，１０ｂ，・・・の平均設定温度、冷房中は最低設定温度（暖房中は最高設定温度）、平均吸込温度およびトータルのエネルギー消費量、施設１内の室内ユニット１０ａ，１０ｂ，・・・の全台数分の異常が発生している台数、ならびに、施設１内の室内ユニット１０ａ，１０ｂ，・・・のいずれかに異常が発生している場合には異常の種別である。
【０１０４】
同様に、図示されないが、ある建物１ａ，１ｂ，・・・に対応するオブジェクトＯ２のマウスオーバー時には、マウスポインタＰの近傍に、当該建物１ａ，１ｂ，・・・内の室内ユニット１０ａ，１０ｂ，・・・に関する機器情報がポップアップ表示される。ポップアップ表示される機器情報の内容は、オブジェクトＯ１のマウスオーバー時と同様であり、当該建物１ａ，１ｂ，・・・内の全室内ユニット１０ａ，１０ｂ，・・・に関する同様の種類の機器情報を同様の方式でまとめた情報である。
【０１０５】
また、同様に、図示されないが、ある単位空間に対応するオブジェクトＯ３のマウスオーバー時には、マウスポインタＰの近傍に、当該単位空間内の室内ユニット１０ａ，１０ｂ，・・・に関する機器情報がポップアップ表示される。ポップアップ表示される機器情報の内容は、オブジェクトＯ１，Ｏ２のマウスオーバー時と同様であり、当該単位空間内の全室内ユニット１０ａ，１０ｂ，・・・に関する同様の種類の機器情報を同様の方式でまとめた情報である。
【０１０６】
ポップアップ表示される機器情報は、ポインタ管理部３２ｇによりオブジェクトＯ１〜Ｏ５のマウスオーバーが検知された時に、第１表示制御部３２ｄ又は第２表示制御部３２ｅにより計算される。より具体的には、ツリー構造Ｔに含まれるオブジェクトＯ１〜Ｏ３がマウスオーバーされると、第１表示制御部３２ｄは、当該オブジェクトＯ１〜Ｏ３に対応する空間（施設１全体、建物１ａ，１ｂ，・・・又は単位空間）内の室内ユニット１０ａ，１０ｂ，・・・を特定し、当該室内ユニット１０ａ，１０ｂ，・・・に関する機器情報をデータベース３５ｂ〜３５ｄから抽出する。続いて、抽出した機器情報を所定の方式に沿って加工し、加工後の機器情報をマウスポインタＰの側に表示させる。一方、領域Ａ２内のオブジェクトＯ４，Ｏ５がマウスオーバーされた場合には、同様の処理が第２表示制御部３２ｅによって実行される。
【０１０７】
また、上記管理画面には、領域Ａ２内のオブジェクトＯ６のマウスオーバー時に、当該オブジェクトＯ６に対応する室内ユニット１０ａ，１０ｂ，・・・に関する機器情報をマウスポインタＰの近傍にポップアップ表示する機能が実装されている。
【０１０８】
ポップアップ表示される機器情報は、当該室内ユニット１０ａ，１０ｂ，・・・に関する、基本情報データベース３５ｂに格納されている基本情報、運転情報データベース３５ｃに格納されている運転情報および異常履歴データベース３５ｄに格納されている異常情報等を所定の方式でまとめた情報である。より具体的には、当該室内ユニット１０ａ，１０ｂ，・・・に異常が発生している場合には、異常の種別および内容がポップアップ表示され、当該室内ユニット１０ａ，１０ｂ，・・・が正常状態にある場合には、事前に設定されている種類の機器情報が表示される。事前に設定し得る機器情報の種類には、例えば、当該室内ユニット１０ａ，１０ｂ，・・・の運転履歴、当該室内ユニット１０ａ，１０ｂ，・・・における吸込温度と設定温度との差異、当該室内ユニット１０ａ，１０ｂ，・・・に関する特定のパラメータのトレンドグラフ、当該室内ユニット１０ａ，１０ｂ，・・・にカメラが取り付けられている場合には当該カメラの映像、全室内ユニット１０ａ，１０ｂ，・・・の中に基準機が設定されている場合には当該基準機と当該室内ユニット１０ａ，１０ｂ，・・・との間の各種パラメータの差異などがある。なお、基準機の設定は、入力部３４を介して統括管理者が行うことができるようになっている。
【０１０９】
かかる機器情報は、ポインタ管理部３２ｇによりオブジェクトＯ６のマウスオーバーが検知された時に、第１表示制御部３２ｄにより計算される。より具体的には、オブジェクトＯ６がマウスオーバーされると、第１表示制御部３２ｄは、当該オブジェクトＯ６に対応する室内ユニット１０ａ，１０ｂ，・・・を特定し、当該室内ユニット１０ａ，１０ｂ，・・・に関する機器情報をデータベース３５ｂ〜３５ｄから抽出する。続いて、抽出した機器情報を所定の方式に沿って加工し、加工後の機器情報をマウスポインタＰの側に表示させる。
【０１１０】
〈特徴〉
上記実施形態では、オブジェクトＯ１〜Ｏ５がマウスオーバーされることを条件に、当該オブジェクトＯ１〜Ｏ５に対応する空間（施設１全体、建物１ａ，１ｂ，・・・又は単位空間）内の室内ユニット１０ａ，１０ｂ，・・・に関する機器情報がマウスポインタＰの近傍に表示されるようになっている。また、オブジェクトＯ６がマウスオーバーされることを条件に、当該オブジェクトＯ６に対応する室内ユニット１０ａ，１０ｂ，・・・に関する機器情報がマウスポインタＰの近傍に表示されるようになっている。従って、統括管理者は、室内ユニット１０ａ，１０ｂ，・・・の様子を簡便な操作で概略的に把握することができるようになっている。
【０１１１】
〈変形例〉
（１）
上記実施形態では、管理画面上のオブジェクトＯ１〜Ｏ５がマウスオーバーされると、当該オブジェクトＯ１〜Ｏ５に対応する空間（施設１全体、建物１ａ，１ｂ，・・・又は単位空間）内の室内ユニット１０ａ，１０ｂ，・・・に関する機器情報がマウスポインタＰの近傍に表示されるようになっている。しかしながら、図１３に示すように、管理画面内の所定の位置（管理画面の右下）に機器情報が表示されるようになっていてもよい。オブジェクトＯ６のマウスオーバー時も同様である。
【０１１２】
（２）
オブジェクトＯ１〜Ｏ５のマウスオーバー時にポップアップ表示される機器情報は、上述したものに限定されない。特に、ポップアップ表示される機器情報の種類を統括管理者が親コントローラ３０に対し任意に設定できるようになっていてもよい。
【０１１３】
（３）
上記実施形態では、一度ポップアップ表示された機器情報は、マウスポインタＰがオブジェクトＯ１〜Ｏ６から離れた時に直ちに消えるようになっている。しかしながら、一度表示された機器情報は、マウスポインタＰがオブジェクトＯ１〜Ｏ６から離れた時ではなく、最初に表示された時あるいは離れた時から、一定時間（例えば、３０秒）が経過した時に自動的に消えるように構成されていてもよい。
【０１１４】
（４）
上記実施形態では、マウスポインタＰが所定のオブジェクトＯ１〜Ｏ６をマウスオーバーしている間だけ、機器情報の表示が行われるようになっている。しかしながら、マウスポインタＰが所定のオブジェクトＯ１〜Ｏ６をマウスオーバーしたまま状態が所定の時間続いた時に初めて、機器情報の表示が行われるようにしてもよい。
【０１１５】
（５）
上記実施形態では、親コントローラ３０による管理上、施設１が３階層の空間として階層化されているが、２階層又は４階層以上の空間として階層化されていてもよい。
【０１１６】
（６）
上記実施形態において、親コントローラ３０が、親コントローラ３０をサーバコンピュータとするクライアントコンピュータに、上記管理画面を提供するようになっていてもよい。また、当該クライアントコンピュータは、ＬＡＮ５ａ内の端末であってもよいし、ＬＡＮ５ａ外の端末、例えば、インターネットを介して接続される施設１外の遠隔の端末であってもよい。なお、親コントローラ３０がＷｅｂサーバ機能を有する場合には、当該クライアントコンピュータはブラウザ機能を有する端末であれば足りることになる。
【０１１７】
（７）
上記実施形態では、室内ユニット１０ａ，１０ｂ，・・・の状態に合わせて、オブジェクトＯ１〜Ｏ６の色が変更されるようになっている。しかしながら、色だけでなく、形状又は模様あるいはこれらの組合せが変更されるようになっていてもよい。
【０１１８】
（８）
上記実施形態において、子コントローラ２０ａ，２０ｂ，・・・が省略されてもよい。すなわち、室内ユニット１０ａ，１０ｂ，・・・が子コントローラ２０ａ，２０ｂ，・・・を介さずに親コントローラ３０に直接接続され、子コントローラ２０ａ，２０ｂ，・・・による処理の全部又は一部を親コントローラ３０が担うようになっていてもよい。
【０１１９】
（９）
上記実施形態において、群管理システム１００が、照明装置、給排水装置、加湿器、昇降機、防犯装置等の空調設備以外の設備機器を管理するようになっていてもよい。また、空調設備を含む又は含まない複数種類の設備機器を管理するようになっていてもよい。
【０１２０】
（１０）
上記実施形態において、管理画面を介して、室内ユニット１０ａ，１０ｂ，・・・と同様に、室外ユニットについても管理できるようになっていてもよい。
【０１２１】
（１１）
子コントローラ２０ａ，２０ｂ，・・・および親コントローラ３０が取得し、記憶する情報は、上記実施形態に示されたものに限られない。
【０１２２】
例えば、親コントローラ３０が、圧縮機の周波数、ファンの回転数、冷媒回路の適当な箇所における冷媒の温度および圧力等を示す情報等を、子コントローラ２０ａ，２０ｂ，・・・を介して取得するようになっていてもよい。
【０１２３】
さらに、親コントローラ３０の監視部３２ａが、当該情報に基づいて独自のロジックで異常を検出し、当該検出の結果が検索条件Ｃ１，Ｃ２，・・・に利用され、オブジェクトＯ１〜Ｏ６の形態に反映されるようになっていてもよい。
【０１２４】
（１２）
上記実施形態では、ツリー構造Ｔは、施設１の現実の物理的な空間構造に対応するように階層的に組み立てられている。しかしながら、ツリー構造Ｔを、論理的な空間構造に対応する階層構造としてもよい。例えば、「廊下」というオブジェクトの下位に、複数の建物１ａ，１ｂ，・・・の廊下に対応する複数のオブジェクトを配置し、「教室」というオブジェクトの下位に、教室に対応する複数のオブジェクトを配置するようしてもよい。つまり、現実に物理的に離れた空間どうしをまとめて、より上位の空間とすることができる。
【０１２５】
（１３）
上記実施形態では、見取図データベース３５ａは、階層構造を有するデータベースとなっているが、かかる形式に限定されない。例えば、見取図データベース３５ａは、見取図のみを格納するデータベースと、当該見取図の階層構造、すなわち、施設１の空間構造を管理する情報を格納するデータベースとから構成されるようになっていてもよい。
【符号の説明】
【０１２６】
１  敷地
１ａ，１ｂ，・・・  建物
１０  空調設備
１０ａ，１０ｂ，・・・  室内ユニット（設備機器）
２０  子コントローラ
３０  親コントローラ（機器管理装置）
３２  制御部
３２ｄ  第１表示制御部
３２ｅ  第２表示制御部
３２ｇ  ポインタ管理部
３４  入力部
Ｏ１〜Ｏ６  オブジェクト
Ｐ  マウスポインタ
Ｔ  ツリー構造
【先行技術文献】
【特許文献】
【０１２７】
【特許文献１】特開２００５−３０８２７８号公報
【図１】
2010255954.tif 000003
【図２】
2010255954.tif 000004
【図３】
2010255954.tif 000005
【図４】
2010255954.tif 000006
【図５】
2010255954.tif 000007
【図６】
2010255954.tif 000008
【図７】
2010255954.tif 000009
【図８】
2010255954.tif 000010
【図９】
2010255954.tif 000011
【図１０】
2010255954.tif 000012
【図１１】
2010255954.tif 000013
【図１２】
2010255954.tif 000014
【図１３】
2010255954.tif 000015